(57)【特許請求の範囲】
【請求項１】
業務モジュール、反不正行為モジュールおよび検索遮断モジュールを含む不正クリック防御装置による不正クリック防御方法であって、
前記業務モジュールが、プロモーション内容のプロモーション過程中に企業ユーザにより自ら設定した、プロモーション内容に対応する遮断対策を取得するステップと、
前記反不正行為モジュールが、ユーザの履歴クリック情報に基づき、前記遮断対策にヒットする検索ユーザを識別し、識別された検索ユーザを対策遮断リストにおける遮断対象ユーザと決定するステップであって、前記履歴クリック情報に基づき、前記遮断対策の発効範囲、発効時間およびクリック回数閾値を満たすユーザを遮断対象ユーザとして決定し、対策遮断リストに追加することを含み、前記履歴クリック情報は、検索ユーザ、検索時間、検索結果に示すプロモーション内容およびクリック回数の情報を含む、ステップと、
前記検索遮断モジュールが、前記対策遮断リストにおける遮断対象ユーザが検索する場合、前記プロモーション内容を前記遮断対象ユーザに対して遮断処理するステップと、
前記反不正行為モジュールが、前記遮断処理の実行状況データを記録するステップと、
前記反不正行為モジュールが、遮断処理のトラフィックと前記プロモーション内容の表示トラフィックとのフィルタリング比を算出するステップと、
データ統計モジュールが、前記フィルタリング比に基づき、遮断対策設定アドバイスを生成してフィードバック表示するステップと、を含むこと
を特徴とする不正クリック防御方法。
【請求項２】
前記業務モジュールが、プロモーション内容に対応する手動遮断リストを取得するステップと、
前記検索遮断モジュールが、前記手動遮断リストにおける遮断対象ユーザが検索する場合、前記プロモーション内容を前記遮断対象ユーザに対して遮断処理するステップと、をさらに含むこと
を特徴とする請求項１に記載の方法。
【請求項３】
前記遮断対象ユーザの識別子はＩＰ、アカウントＩＤ、またはユニーク訪問者ＩＤであること
を特徴とする請求項１または２に記載の方法。
【請求項４】
前記検索遮断モジュールが、前記プロモーション内容を前記遮断対象ユーザに対して遮断処理するステップは、
前記プロモーション内容を前記遮断対象ユーザに表示することを禁止するステップ、または
前記プロモーション内容を置換内容に更新し、且つ前記置換内容を前記遮断対象ユーザに表示するステップを含むこと
を特徴とする請求項２に記載の方法。
【請求項５】
データ統計モジュールが、クェリ要求に応じて前記実行状況データをフィードバック表示するステップをさらに含むこと
を特徴とする請求項１〜４のいずれかに記載の方法。
【請求項６】
プロモーション内容のプロモーション過程中に企業ユーザにより自ら設定した、プロモーション内容に対応する遮断対策を取得するための遮断対策取得ユニットを有する業務モジュールと、
ユーザの履歴クリック情報に基づき、前記遮断対策にヒットする検索ユーザを識別し、識別された検索ユーザを対策遮断リストにおける遮断対象ユーザと決定するための遮断ユーザ決定ユニットを有する反不正行為モジュールであって、前記遮断ユーザ決定ユニットは、具体的には、前記履歴クリック情報に基づき、前記遮断対策の発効範囲、発効時間およびクリック回数閾値を満たすユーザを遮断対象ユーザとして決定し、対策遮断リストに追加するために構成され、前記履歴クリック情報は、検索ユーザ、検索時間、検索結果に示すプロモーション内容およびクリック回数の情報を含む、反不正行為モジュールと、
前記対策遮断リストにおける遮断対象ユーザが検索する場合、前記プロモーション内容を前記遮断対象ユーザに対して遮断処理するための検索遮断モジュールと、を備え、
前記反不正行為モジュールは、前記遮断処理の実行状況データを記録するための記録ユニットと、遮断処理のトラフィックと前記プロモーション内容の表示トラフィックとのフィルタリング比を算出するための算出ユニットと、をさらに有し、
前記装置は、前記フィルタリング比に基づき、遮断対策設定アドバイスを生成してフィードバック表示するためのアドバイスフィードバックユニットを有するデータ統計モジュールをさらに備えること
を特徴とする不正クリック防御装置。
【請求項７】
前記業務モジュールは、プロモーション内容に対応する手動遮断リストを取得するための手動リスト取得ユニットをさらに有し、
前記検索遮断モジュールは、さらに、前記手動遮断リストにおける遮断対象ユーザが検索する場合、前記プロモーション内容を前記遮断対象ユーザに対して遮断処理するために構成されること
を特徴とする請求項６に記載の装置。
【請求項８】
前記遮断対象ユーザの識別子はＩＰ、アカウントＩＤ、またはユニーク訪問者ＩＤであること
を特徴とする請求項６または７に記載の装置。
【請求項９】
前記検索遮断モジュールは、具体的には、
前記プロモーション内容を前記遮断対象ユーザに表示することを禁止し、または
前記プロモーション内容を置換内容に更新し、且つ前記置換内容を前記遮断対象ユーザに表示するために構成されることを特徴とする請求項７に記載の装置。
【請求項１０】
前記装置は、クェリ要求に応じて前記実行状況データをフィードバック表示するためのクェリフィードバックユニットを有するデータ統計モジュールをさらに備えること
を特徴とする請求項６〜９のいずれかに記載の装置。
【請求項１１】
１つ以上のプログラムが記憶される不揮発性コンピュータ記憶媒体であって、
前記１つ以上のプログラムが、不正クリック防御方法を実行する装置により実行される際に、前記装置には、
プロモーション内容のプロモーション過程中に企業ユーザにより自ら設定した、プロモーション内容に対応する遮断対策を取得することと、
ユーザの履歴クリック情報に基づき、前記遮断対策にヒットする検索ユーザを識別し、識別された検索ユーザを対策遮断リストにおける遮断対象ユーザと決定することであって、前記履歴クリック情報に基づき、前記遮断対策の発効範囲、発効時間およびクリック回数閾値を満たすユーザを遮断対象ユーザとして決定し、対策遮断リストに追加することを含み、前記履歴クリック情報は、検索ユーザ、検索時間、検索結果に示すプロモーション内容およびクリック回数の情報を含む、ことと、
前記対策遮断リストにおける遮断対象ユーザが検索する場合、前記プロモーション内容を前記遮断対象ユーザに対して遮断処理することと、
前記遮断処理の実行状況データを記録することと、
遮断処理のトラフィックと前記プロモーション内容の表示トラフィックとのフィルタリング比を算出することと、
前記フィルタリング比に基づき、遮断対策設定アドバイスを生成してフィードバック表示することと、を含む操作を実行させること
を特徴とする不揮発性コンピュータ記憶媒体。
【発明の詳細な説明】
【優先権の主張】
【０００１】
本特許出願は、２０１５年１月２６日に提出され、出願番号が２０１５１００３８６０２．０で、出願人が百度在線網絡技術（北京）有限公司で、発明名称が「不正クリック防御方法、および装置」である中国特許出願に基づき優先権を主張し、当該出願の内容の全てを本出願に援用する。
【技術分野】
【０００２】
本発明の実施例は、ネットワーク情報セキュリティ技術に関し、特に不正クリック防御方法、装置、および記憶媒体に関する。
【背景技術】
【０００３】
インターネット広告およびマーケティングプロモーションの台頭に伴い、オンラインプロモーション業務を行うインターネット会社が多くなりつつある。オンラインプロモーションサービスの課金方式は様々があり、例えばペイパービュー、ペイパークリックおよびペイフォーパフォーマンスを含み、現在、ペイパークリックは最も幅広く使用されている。しかしながら、ペイパークリック方式では、様々な動機で人為的な不正クリックを行うことにより、企業のプロモーション費用が急激に増加したり、広告発行者、特に広告発行者の連合メンバーが不当な利益をせしめたりしてしまうという問題がある。
【０００４】
典型的には、企業側は、ある検索プロモーションで課金してプロモーション内容の表示機会を取得したが、インターネットユーザがプロモーション内容をクリックすると、検索ウェブサイト側は、クリック回数に応じて企業から料金を徴収する。市場競争のため、この企業の競争相手や悪意のあるインターネットユーザは、個人でまたは複数の人を動員してこの企業のプロモーション内容を検索してクリックするおそれがあり、効果的な予防メカニズムがなければ、この企業のプロモーション費用が急激に増加してしまい、また企業の顧客サービスおよびコンサルティングプラットフォームリソースを無駄に占用してしまう。
【０００５】
従来、業界で用いられる不正クリック防御方法として、通常、サーバーの後端にクリック行為およびパラメータを判断して不正クリックの有無を判定し、さらにクリックログには、判定された不正クリックを非課金処理する。
【０００６】
従来の方法の主な欠陥について、（１）事後性があり、後端のフィルタリングは、既に発生した不正クリックに対して事後の非課金または返金等の補償的な措置を講じることしかができず、不正クリック行為の続発を根本的に阻止できない。（２）時効性が劣り、不正クリックが発生すると、迅速に対応してリアルタイムに阻止することがでないため、このような不正行為が企業のプロモーションおよび顧客サービスリソースを無駄に占用してしまう。
【発明の概要】
【発明が解決しようとする課題】
【０００７】
本発明の実施例は、プロモーション内容への不正クリックを適時に阻止するための不正クリック防御方法、装置、および記憶媒体を提供する。
【課題を解決するための手段】
【０００８】
第１態様によれば、本発明の実施例は不正クリック防御方法を提供し、
プロモーション内容に対応する遮断対策を取得するステップと、
前記遮断対策およびユーザの履歴クリック情報に基づき、対策遮断リストにおける遮断対象ユーザを決定するステップと、
前記対策遮断リストにおける遮断対象ユーザが検索する場合、前記プロモーション内容を前記遮断対象ユーザに対して遮断処理するステップと、を含む。
【０００９】
第２態様によれば、本発明の実施例は、不正クリック防御装置をさらに提供し、
プロモーション内容に対応する遮断対策を取得するための遮断対策取得ユニットを有する業務モジュールと、
前記遮断対策およびユーザの履歴クリック情報に基づき、対策遮断リストにおける遮断対象ユーザを決定するための遮断ユーザ決定ユニットを有する反不正行為モジュールと、
前記対策遮断リストにおける遮断対象ユーザが検索する場合、前記プロモーション内容を前記遮断対象ユーザに対して遮断処理するための検索遮断モジュールと、を備える。
【００１０】
第３態様によれば、本発明の実施例は、不揮発性コンピュータ記憶媒体を提供し、前記コンピュータ記憶媒体に１つ以上のモジュールが記憶され、前記１つ以上のモジュールが、不正クリック防御方法を実行する装置により実行される場合、前記装置には、
プロモーション内容に対応する遮断対策を取得し、
前記遮断対策およびユーザの履歴クリック情報に基づき、対策遮断リストにおける遮断対象ユーザを決定し、
前記対策遮断リストにおける遮断対象ユーザが検索する場合、前記プロモーション内容を前記遮断対象ユーザに対して遮断処理する操作を実行させる。
【発明の効果】
【００１１】
本発明の実施例の技術案によれば、サーバーの前端にプロモーション内容を表示する段階で不正クリックを阻止することができ、一方では、リアルタイムなクリック情報に基づき不正クリックを判定し、不正クリックを適時且つ効果的に防御できることにより、不正クリック防御の時効性を向上させ、他方では、遮断対策が企業ユーザで設定できるため、企業ユーザによる不正クリック制御の自主性を向上させる。
【図面の簡単な説明】
【００１２】
以下、本発明の実施例の技術案をより明確に説明するために、実施例の説明に使用される図面を簡単に説明し、勿論、後述する図面が本発明のいくつかの実施例に過ぎず、当業者は、創造的な労働をせずに、それらの図面を変更や置換することができる。
【図１】本発明の実施例１に係る不正クリック防御方法のフローチャートである。
【図２】本発明の実施例に適用できる不正クリック防御装置の構成模式図である。
【図３】本発明の実施例２に係る不正クリック防御方法のフローチャートである。
【図４】本発明の実施例３に係る不正クリック防御方法のフローチャートである。
【図５】本発明の実施例４に係る不正クリック防御方法のフローチャートである。
【図６】本発明の実施例５に係る不正クリック防御装置の構成模式図である。
【図７】本発明の実施例６に係る不正クリック防御装置の構成模式図である。
【図８】本発明の実施例８に係る不正クリック防御方法を実行する装置のハードウェア構成模式図である。
【発明を実施するための形態】
【００１３】
以下、図面を参照しながら本発明の実施例の技術案を明確で完全に説明し、勿論、説明される実施例は、本発明の実施例の一部であり、実施例の全てではなく、且つ本発明を限定するためではなく本発明の原理を説明するためのものである。本発明の実施例に基づき、当業者が創造的な労働をせずに得るほかの実施例は、いずれも本発明の保護範囲に属する。
【００１４】
実施例１
図１は本発明の実施例１に係る不正クリック防御方法のフローチャートであり、当該方法は、不正クリック防御装置により実行可能であり、当該装置は、ハードウェアおよび／またはソフトウェアの形態で実現されてもよく、一般的には検索サービスを提供するサーバーに配置され、不正クリック行為をリアルタイムに防御する。図２は、本発明の実施例に適用できる不正クリック防御装置の構成模式図であり、当該装置のアーキテクチャは、好ましくは、業務モジュール、反不正行為モジュール、検索遮断モジュール、およびデータ統計モジュールを備える。以下、装置のアーキテクチャを参照しながら方法の手順を説明するが、当業者は、本発明の実施例に係る防御方法の実現がこのアーキテクチャを用いる装置に限定されないと理解すべきである。
【００１５】
本実施例に係る不正クリック防御方法は、以下のステップを含む。
【００１６】
Ｓ１１０：プロモーション内容に対応する遮断対策を取得する。
【００１７】
該操作は業務モジュールにより実施可能であり、業務モジュールはプロモーション内容を設定する企業ユーザにインターフェースを提供し、企業ユーザの自ら設定する遮断対策を取得することができる。企業ユーザは、その所有するすべてのプロモーション内容に統一の遮断対策を設定してもよく、プロモーション内容ごとに遮断対策をそれぞれ設定してもよい。企業ユーザは、プロモーション内容のプロモーション過程を開始する前に、またはプロモーション過程中に、遮断対策を柔軟に調整することができる。
【００１８】
遮断対策は、好ましくは、対策名、発効範囲、発効時間およびクリック回数閾値などを含む。対策名は異なる対策を区別するためのものであり、対策の唯一の識別子とする。発効範囲は、遮断対策が企業ユーザの全プロモーション内容に発効するか、それとも企業ユーザのあるプロモーション内容に発効するかを明確するためのものである。発効時間は、当該遮断対策がクリック状況を監視するローリング時間、例えば１５分間、１時間または６時間を決定するものであり、時間範囲によって異なる遮断対策を設定してもよい。企業ユーザは、従来のプロモーション内容クリック状況に基づき、クリック回数閾値を設定することができ、同一検索ユーザが発効時間内で発効範囲内におけるプロモーション内容をクリックするクリック回数が閾値を超えると、当該検索ユーザが遮断対策にヒットする。企業ユーザは、上記パラメータを設定すると１つの遮断対策を生成し、当該遮断対策は、データストリームにより反不正行為モジュールへ伝送され、ヒットされた検索ユーザを識別するために用いられる。
【００１９】
Ｓ１２０：前記遮断対策およびユーザの履歴クリック情報に基づき、対策遮断リストにおける遮断対象ユーザを決定する。
【００２０】
該操作は、反不正行為モジュールにより実施され、反不正行為モジュールは、ストリームプロセッシングを用いてクリックデータストリームを処理し、検索エンジンの検索ログから検索ユーザの履歴クリック情報をリアルタイムに取得できる。履歴クリック情報は、検索ユーザ、検索時間、検索結果に示すプロモーション内容およびクリック回数などの情報を含んでもよく、主に、検索ユーザによるプロモーション内容に対するクリック状況を、反不正行為モジュールに統計させるために用いられる。
【００２１】
ユーザの履歴クリック情報に基づき、検索ユーザが遮断対策にヒットするか否かを識別でき、遮断対策にヒットした検索ユーザは、遮断対象ユーザであり、企業ユーザの設定するプロモーション内容と対応付けており、対策遮断リストに追加されて企業ユーザまたはその一部のプロモーション内容とのマッピング関係を形成することができる。上記好ましい遮断対策内容を例とし、Ｓ１２０の操作は、具体的に、前記履歴クリック情報に基づき、前記遮断対策の発効範囲、発効時間およびクリック回数閾値を満たすユーザを遮断対象ユーザとして決定し、対策遮断リストに追加することができる。反不正行為モジュールは、対策遮断リストを、リアルタイムで検索遮断モジュールに伝送して発効させる。
【００２２】
遮断対象ユーザはＩＰ、アカウントＩＤ（Ｃｏｏｋｉｅ）やユニーク訪問者ＩＤなどを身元識別として使用してもよく、遮断対象ユーザは、単一ユーザであってもよく、１つのユーザクラスタ、例えば、あるＩＰネットワークセグメントのすべてのユーザであってもよい。ユニーク訪問者ＩＤは、検索ユーザの各種情報に基づいて決定されたユーザの唯一の識別子、例えば、そのＩＰおよびアカウント情報を組み合わせた識別子であり、この検索ユーザを唯一的に識別すればよい。
【００２３】
Ｓ１３０：前記対策遮断リストにおける遮断対象ユーザが検索する場合、前記プロモーション内容を前記遮断対象ユーザに対して遮断処理する。
【００２４】
該操作は、検索遮断モジュールにより実行可能である。検索遮断モジュールは、各検索ユーザに検索サービスを提供し、本実施例において、検索遮断モジュールは、反不正行為モジュールから対策遮断リストを取得し、プロモーション内容を表示する前に、検索ユーザが対策遮断リストにおける遮断対象ユーザであると検出した場合、当該検索ユーザを、不正クリックを行うユーザとして遮断処理を行い、それにより、不正クリックを行うユーザが企業ユーザのプロモーション内容をクリックして続けることを防止する。
【００２５】
前記プロモーション内容を前記遮断対象ユーザに対して遮断処理する操作は、好ましくは、
前記プロモーション内容を前記遮断対象ユーザに表示することを禁止する操作、または
前記プロモーション内容を置換内容に更新し、且つ前記置換内容を前記遮断対象ユーザに表示する操作を含む。
【００２６】
プロモーション内容に対する遮断処理は、一方で、対応するプロモーション内容の表示を直接に禁止してもよく、他方で、代替手段を用いて表示を行い、すなわち、企業ユーザが遮断する必要のあるプロモーション内容を該ユーザに表示することを禁止するとともに、当該プロモーション内容の置換内容、例えば、当該プロモーション内容と同類のほかの企業ユーザのプロモーション内容、または公共宣伝内容などを検索して遮断対象ユーザに表示し、インターネットユーザの検索内容およびほかの企業ユーザのプロモーション需要を満たすようにしてもよい。
【００２７】
本発明の実施例の技術案によれば、サーバーの前端にプロモーション内容を表示する段階で不正クリックを阻止することができ、一方では、リアルタイムなクリック情報に基づき不正クリックを判定し、不正クリックを適時且つ効果的に防御できることにより、不正クリック防御の時効性を向上させ、他方では、遮断対策が企業ユーザで設定できるため、企業ユーザによる不正クリック制御の自主性を向上させる。また、不正クリックを行うインターネットユーザに対してリソース占用などの措置を強制的に講じる必要がなく、したがって、同時にインターネットユーザのユーザエクスペリエンスを確保する。また、上記技術案では、さらに置換内容を設定することにより、当該当するインターネットユーザを遮断する必要のある企業ユーザの遮断需要およびプロモーション内容を表示する必要のあるほかの企業ユーザのプロモーション需要を満たすことができ、三方よしの目的を達成する。
【００２８】
インターネットプロモーションおよび広告の台頭に伴い、ペイパークリックモードが増加しつつある。検索プロモーションに加えて、ウェブサイトアライアンスプロモーションおよびビデオティーザー広告などにおいても、ペイパークリックであれば、不正クリックの問題が発生してしまい、この問題はペイパークリックというビジネスモデルの基盤を直接に脅かす。従って、本発明の実施例に係る新規不正クリック防御方法によれば、不正クリックを発生する前に、不正クリックの継続発生を効果的に阻止でき、企業、プロモーションプラットフォームの利益を効果的に保護し、クライアントの投入産出比率（ＲＯＩ）、満足度を向上させ、プロモーションプラットフォームの長期にわたる健全な発展を促進する。
【００２９】
実施例２
図３は、本発明の実施例２に係る不正クリック防御方法のフローチャートであり、本実施例は、上記技術案を最適化し、さらに手動遮断リストにより不正クリックを防御する技術的手段を追加し、すなわち、上記実施例以外、さらに以下のステップを含む。
【００３０】
Ｓ３１０：プロモーション内容に対応する手動遮断リストを取得する。
【００３１】
手動遮断リストを取得する操作も業務モジュールにより実行可能である。企業ユーザは遮断を必要とする検索ユーザを遮断対象ユーザとして設定でき、ＩＰ、アカウントＩＤ（Ｃｏｏｋｉｅ）やユニーク訪問者ＩＤなどを身元識別として使用してもよい。当該検索ユーザが企業ユーザにより遮断対象ユーザとして設定されると、手動遮断リストを形成し、当該設定リストは、データストリームにより検索遮断モジュールに直接に伝送され、当該検索ユーザに対してプロモーション内容の遮断を行うために用いられる。手動遮断リストにおける遮断対象ユーザは、企業ユーザのすべてのプロモーション内容に対して発効してもよく、一部のプロモーション内容に対して発効してもよい。
【００３２】
Ｓ３２０：前記手動遮断リストにおける遮断対象ユーザが検索する場合、前記プロモーション内容を前記遮断対象ユーザに対して遮断処理する。
該操作は、検索遮断モジュールにより実行される。手動遮断リストに基づく遮断処理は、対策遮断リストに基づく遮断処理の操作と類似する。
【００３３】
本実施例の技術案によれば、対策による遮断および手動による遮断を実現する。企業ユーザは、さらに指定するインターネットユーザを遮断対象ユーザとして手動で追加でき、それにより、遮断対象ユーザが当該企業ユーザのプロモーション内容を検索することができなくなる。
【００３４】
実施例３
図４は本発明の実施例３に係る不正クリック防御方法のフローチャートであり、本実施例は、上記実施例に基づいて遮断処理の実行状況をフィードバックする手段を追加する。本実施例は、依然として図２に示す不正クリック防御装置により実行可能である。
【００３５】
本実施例は、上記実施例に係る方法フローにおいて、さらに以下のステップを含む。
【００３６】
Ｓ４１０：前記遮断処理の実行状況データを記録する。
【００３７】
該操作は、反不正行為モジュールにより実行される。反不正行為モジュールは、対策遮断リストを形成するとともに、遮断処理の実行状況データを記録することを担当し、例えば、遮断対策がヒットした対策遮断リストに基づき、遮断対象ユーザが検索を行う際にプロモーション内容を遮断する回数などを記録する。
【００３８】
Ｓ４２０：クェリ要求に応じて前記実行状況データをフィードバック表示する。
【００３９】
該操作は、データ統計モジュールにより実行可能である。データ統計モジュールは、オプションモジュールであり、反不正行為モジュールの遮断処理実行状況データおよび分析されたデータ報告を効果的に分析して保存する。業務モジュールが企業ユーザからのクェリ要求を受信した場合、データ統計モジュールの統計情報を呼び出して、可視グラフによりユーザに表示し、企業ユーザに対してデータ公開および関連する設定指導を行う。
【００４０】
本発明の実施例の技術案によれば、企業ユーザは遮断対策または手動遮断リストを設定した後、後続の遮断対策がヒットするインターネットユーザ詳細情報および統計データ、並びに手動遮断リストを業務モジュールによりクェリすることができる。業務モジュールは、企業ユーザからのクェリ要求を受信した場合、データ統計モジュールにデータクェリ要求を送信し、データ統計モジュールが対応する統計報告を業務モジュールにフィードバックし、可視グラフにより企業ユーザに表示し、企業ユーザが遮断対策の有用性を簡単に決定できる。
【００４１】
実施例４
図５は本発明の実施例４に係る不正クリック防御方法のフローチャートであり、本実施例は、上記実施例に基づいて遮断処理の実行状況をフィードバックする手段を追加する。本実施例は、依然として図２に示す不正クリック防御装置により実行可能である。
【００４２】
本実施例は、上記実施例に係る方法のフローにおいて、さらに以下のステップを含む。
【００４３】
Ｓ５１０：前記遮断処理の実行状況データを記録する。
【００４４】
Ｓ５２０：遮断処理のトラフィックと前記プロモーション内容の表示トラフィックとのフィルタリング比を算出する。
【００４５】
上記操作は反不正行為モジュールにより実行可能であり、例えば、実行状況データに基づき、一日ごとの対策追加遮断インターネットユーザ統計を行い、業務モジュールがクェリすることができるようにデータ統計モジュールを導入する。一日ごとの対策追加遮断インターネットユーザ統計とは、一日を単位にし、検索ユーザに対するプロモーション内容の遮断回数を遮断処理のトラフィックとして記録するとともに、当該プロモーション内容の当日の表示回数を表示トラフィックとして記録し、両者の比をフィルタリング比として算出する。当該一日ごとのフィルタリング比の統計情報は、データストリームにより、データ統計モジュールに伝送可能であり、後続モジュールの処理に用いられる。
【００４６】
Ｓ５３０：前記フィルタリング比に基づき、遮断対策設定アドバイスを生成してフィードバック表示する。
【００４７】
データ統計モジュールは、フィルタリング比に基づいてアドバイスを生成することができ、例えば、フィルタリング比が大きい場合、ほとんどのプロモーション内容表示がいずれも遮断され、遮断対策の設定が厳しすぎる可能性があることを示し、不正クリックを識別する閾値を大きくして遮断対象ユーザを減少させることを提案できる。当該アドバイスは、データ統計モジュールにより業務モジュールに伝送され、企業ユーザにフィードバックされるようにしてもよい。
【００４８】
本実施例の技術案によれば、企業ユーザが遮断対策を設定することにより多くのデータサポートを提供することができ、これにより、遮断対策の設定は、不正クリック現象の防御とをさらにマッチングする。
【００４９】
上記実施例３および４のそれぞれに係る反不正行為モジュールおよびデータ統計モジュールが協働して記録とフィードバックを行う２種の手段を単独に使用してもよいが、好ましくは、組み合わせて使用する。
【００５０】
実施例５
図６は本発明の実施例５に係る不正クリック防御装置の構成模式図である。当該装置は業務モジュール６１０、反不正行為モジュール６２０および検索遮断モジュール６３０を備える。
【００５１】
前記業務モジュール６１０は、プロモーション内容に対応する遮断対策を取得するための遮断対策取得ユニット６１１を有し、反不正行為モジュール６２０は、前記遮断対策およびユーザの履歴クリック情報に基づき、対策遮断リストにおける遮断対象ユーザを決定するための遮断ユーザ決定ユニット６２１を有し、検索遮断モジュール６３０は、前記対策遮断リストにおける遮断対象ユーザが検索する場合、前記プロモーション内容を前記遮断対象ユーザに対して遮断処理する。
【００５２】
上記装置において、前記遮断ユーザ決定ユニット６２１は、具体的には、前記履歴クリック情報に基づき、前記遮断対策の発効範囲、発効時間およびクリック回数閾値を満たすユーザを遮断対象ユーザとして決定し、対策遮断リストに追加するために用いられる。
【００５３】
好ましくは、前記業務モジュール６１０は、プロモーション内容に対応する手動遮断リストを取得する手動リスト取得ユニット６１２をさらに有し、この場合に、前記検索遮断モジュール６３０は、さらに、前記手動遮断リストにおける遮断対象ユーザが検索する場合、前記プロモーション内容を前記遮断対象ユーザに対して遮断処理するために構成される。
【００５４】
上記対策遮断リストおよび手動遮断リストにおける前記遮断対象ユーザの識別子は、ＩＰ、アカウントＩＤ、またはユニーク訪問者ＩＤであってもよい。
【００５５】
上記技術案では、前記検索遮断モジュール６３０は、好ましくは、具体的に、
前記プロモーション内容を前記遮断対象ユーザに表示することを禁止し、または
前記プロモーション内容を置換内容に更新し、且つ前記置換内容を前記遮断対象ユーザに表示するために構成される。
【００５６】
実施例６
図７は本発明の実施例６に係る不正クリック防御装置の構成模式図であり、本実施例は、上記実施例に基づいてデータ統計モジュール６４０がさらに追加される。
【００５７】
具体的には、前記反不正行為モジュール６２０は、前記遮断処理の実行状況データを記録するための記録ユニット６２２をさらに有し、前記装置は、クェリ要求に応じて前記実行状況データをフィードバック表示するためのクェリフィードバックユニット６４１を有するデータ統計モジュール６４０をさらに備える。
【００５８】
或いは、前記反不正行為モジュール６２０は、前記遮断処理の実行状況データを記録するための記録ユニット６２２と、遮断処理のトラフィックと前記プロモーション内容の表示トラフィックとのフィルタリング比を算出するための算出ユニット６２３と、をさらに有し、前記装置のデータ統計モジュール６４０は、前記フィルタリング比に基づき、遮断対策設定アドバイスを生成してフィードバック表示するためのアドバイスフィードバックユニット６４２を有する。
【００５９】
反不正行為モジュールおよびデータ統計モジュールが協働して記録とフィードバックを行う２種の手段を単独に使用してもよいが、好ましくは、組み合わせて使用する。
【００６０】
上記製品は本発明の実施例のいずれかに記載の不正クリック防御方法を実行することができ、方法を実行する対応の機能モジュールおよび有益な効果を有する。
【００６１】
実施例７
【００６２】
本実施例は、不揮発性コンピュータ記憶媒体を提供し、１つ以上のモジュールが記憶され、前記１つ以上のモジュールが不正クリック防御方法を実行する装置により実行される場合、前記装置には、
プロモーション内容に対応する遮断対策を取得し、
前記遮断対策およびユーザの履歴クリック情報に基づき、対策遮断リストにおける遮断対象ユーザを決定し、
前記対策遮断リストにおける遮断対象ユーザが検索する場合、前記プロモーション内容を前記遮断対象ユーザに対して遮断処理する操作を実行させる。
【００６３】
上記記憶媒体に記憶されたモジュールが前記装置により実行される場合、前記遮断対策およびユーザの履歴クリック情報に基づき、対策遮断リストにおける遮断対象ユーザを決定するステップにおいては、
前記履歴クリック情報に基づき、前記遮断対策の発効範囲、発効時間およびクリック回数閾値を満たすユーザを遮断対象ユーザとして決定し、対策遮断リストに追加するステップを含んでもよい。
【００６４】
上記記憶媒体に記憶されたモジュールが前記装置により実行される場合、プロモーション内容に対応する手動遮断リストを取得するステップと、
前記手動遮断リストにおける遮断対象ユーザが検索する場合、前記プロモーション内容を前記遮断対象ユーザに対して遮断処理するステップと、をさらに含んでもよい。
【００６５】
上記記憶媒体に記憶されたモジュールが前記装置により実行される場合、前記遮断対象ユーザの識別子は、ＩＰ、アカウントＩＤ、またはユニーク訪問者ＩＤであってもよい。
【００６６】
上記記憶媒体に記憶されたモジュールが前記装置により実行される場合、前記プロモーション内容を前記遮断対象ユーザに対して遮断処理するステップにおいては、
前記プロモーション内容を前記遮断対象ユーザに表示することを禁止するステップ、または
前記プロモーション内容を置換内容に更新し、且つ前記置換内容を前記遮断対象ユーザに表示するステップを含んでもよい。
【００６７】
上記記憶媒体に記憶されたモジュールが前記装置により実行される場合、
前記遮断処理の実行状況データを記録するステップと、
クェリ要求に応じて前記実行状況データをフィードバック表示するステップと、をさらに含んでもよい。
【００６８】
上記記憶媒体に記憶されたモジュールが前記装置により実行される場合、
前記遮断処理の実行状況データを記録するステップと、
遮断処理のトラフィックと前記プロモーション内容の表示トラフィックとのフィルタリング比を算出するステップと、
前記フィルタリング比に基づき、遮断対策設定アドバイスを生成してフィードバック表示するステップと、をさらに含んでもよい。
【００６９】
実施例８
図８に示すように、本発明の実施例８に係る不正クリック防御方法を実行する装置のハードウェア構成模式図である。
【００７０】
該装置は、１つ以上のプロセッサ８１０（図８では１つのプロセッサ８１０を例とする）、メモリ８２０、および１つ以上のモジュールを備える。
【００７１】
前記装置は、入力装置８３０および出力装置８４０をさらに備える。前記装置のプロセッサ８１０、メモリ８２０、入力装置８３０および出力装置８４０は、バスまたはほかの方式により接続され、図６ではバスによる接続を例とする。
【００７２】
メモリ８２０は、コンピュータ可読記憶媒体として、ソフトウェアプログラム、コンピュータ実行可能なプログラムおよびモジュール、例えば、本発明の実施例に係る不正クリック防御方法に対応するプログラム命令／モジュール（例えば、図６に示す不正クリック防御装置の業務モジュール６１０、反不正行為モジュール６２０および検索遮断モジュール６３０）を記憶するために構成されてもよい。プロセッサ８１０は、メモリ８２０に記憶されたソフトウェアプログラム、命令およびモジュールを実行することにより、サーバーの各種機能アプリケーションおよびデータ処理を実行し、すなわち、上記方法の実施例に係る不正クリック防御方法を実現する。
【００７３】
メモリ８２０は、オペレーティングシステム、少なくとも１つの機能に必要なアプリケーションプログラムが記憶されるプログラム記憶領域と、端末装置の使用に基づいて作成されたデータなどが記憶されるデータ記憶領域と、を備えてもよい。また、メモリ８２０は、高速ランダムアクセスメモリを備えてもよく、さらに、不揮発性メモリ、例えば、少なくとも１つのディスクメモリデバイス、フラッシュデバイス、またはほかの不揮発性固体メモリデバイスを備えてもよい。いくつかの例では、メモリ８２０は、プロセッサ８１０に対して遠隔設置されるメモリをさらに含んでもよく、それらの遠隔メモリがネットワークを介して端末装置に接続されてもよい。上記ネットワークの例として、インターネット、イントラネット、ローカルエリアネットワーク、モバイル通信ネットワーク、およびそれらの組合せを含むが、それらに限定されない。
【００７４】
入力装置８３０は、入力される数字または文字情報を受信し、端末のユーザ設定、および機能制御に関連するキー信号入力を生成する。出力装置８４０は、ディスプレイなどの表示装置を備えてもよい。
【００７５】
前記１つ以上のモジュールは、前記メモリ８２０に記憶され、前記１つ以上のプロセッサ８１０により実行される場合、
プロモーション内容に対応する遮断対策を取得し、
前記遮断対策およびユーザの履歴クリック情報に基づき、対策遮断リストにおける遮断対象ユーザを決定し、
前記対策遮断リストにおける遮断対象ユーザが検索する場合、前記プロモーション内容を前記遮断対象ユーザに対して遮断処理する操作を実行する。
【００７６】
さらに、前記遮断対策およびユーザの履歴クリック情報に基づき、対策遮断リストにおける遮断対象ユーザを決定するステップにおいては、
前記履歴クリック情報に基づき、前記遮断対策の発効範囲、発効時間およびクリック回数閾値を満たすユーザを遮断対象ユーザとして決定し、対策遮断リストに追加することを含んでもよい。
【００７７】
また、プロモーション内容に対応する手動遮断リストを取得するステップと、
前記手動遮断リストにおける遮断対象ユーザが検索する場合、前記プロモーション内容を前記遮断対象ユーザに対して遮断処理するステップと、をさらに含んでもよい。
【００７８】
さらに、前記遮断対象ユーザの識別子はＩＰ、アカウントＩＤ、またはユニーク訪問者ＩＤであってもよい。
【００７９】
さらに、前記プロモーション内容を前記遮断対象ユーザに対して遮断処理するステップにおいては、
前記プロモーション内容を前記遮断対象ユーザに表示することを禁止するステップ、または
前記プロモーション内容を置換内容に更新し、且つ前記置換内容を前記遮断対象ユーザに表示するステップを含んでもよい。
【００８０】
また、前記遮断処理の実行状況データを記録するステップと、
クェリ要求に応じて前記実行状況データをフィードバック表示するステップと、をさらに含んでもよい。
【００８１】
また、前記遮断処理の実行状況データを記録するステップと、
遮断処理のトラフィックと前記プロモーション内容の表示トラフィックとのフィルタリング比を算出するステップと、
前記フィルタリング比に基づき、遮断対策設定アドバイスを生成してフィードバック表示するステップと、をさらに含んでもよい。
【００８２】
上記実施形態の説明によれば、当業者は、本発明がソフトウェア、および必要な汎用ハードウェアにより実現されてもよく、勿論ハードウェアにより実現されてもよいが、多くの場合、前者が好ましい実施形態であると理解すべきである。このような理解に基づき、本発明の技術案は、実質的な部分、または従来技術を改良する部分をソフトウェア製品の形態で実現してもよい。当該コンピュータソフトウェア製品は、コンピュータ可読記憶媒体、例えばコンピュータのフロッピーディスク、読み出し専用メモリ（Ｒｅａｄ−Ｏｎｌｙ  Ｍｅｍｏｒ：ＲＯＭ）、ランダムアクセスメモリ（Ｒａｎｄｏｍ  Ａｃｃｅｓｓ  Ｍｅｍｏｒｙ：ＲＡＭ）、フラッシュ（ＦＬＡＳＨ）、ハードディスクや光ディスクなどに記憶されてもよく、且つコンピュータ機器（パソコン、サーバ、またはネットワーク機器などであってもよく）に本発明の各実施例に係る方法を実行させる複数の命令を含む。
【００８３】
注目に値することは、上記不正クリック防御装置の実施例に含まれる各ユニットおよびモジュールは、機能ロジックのみに応じて区画されるが、上記区画に限定されない。対応する機能を実現することができればよい。また、各機能ユニットの具体的な名称は、単に区別を容易にするためのものであり、本発明の保護範囲を限定するものではない。
【００８４】
以上で説明したのは、本発明の具体的な実施形態だけであり、本発明の保護範囲は、これらに限定されるものではない。本技術分野をよく知っている当業者のいずれも、本発明に開示された技術範囲内に容易に想到できる変更または置換の全ては、本発明の保護範囲内に入るべきである。従って、本発明の保護範囲は、添付する特許請求の範囲を基準としているものである。
【図１】
0006568538.tif 000002
【図２】
0006568538.tif 000003
【図３】
0006568538.tif 000004
【図４】
0006568538.tif 000005
【図５】
0006568538.tif 000006
【図６】
0006568538.tif 000007
【図７】
0006568538.tif 000008
【図８】
0006568538.tif 000009